(57)【要約】      （修正有）【課題】切断作業を中断することなくろ材の掃除を行えるドライカッター用集塵機を提供する。【解決手段】密閉される容器２と、容器２内を上側領域２ａと下側領域２ｂの２つに仕切り、道路切断時に上側領域２ａに供給される粉じんを捕捉するろ材で形成された外袋４と、外袋４の内側に間隔をあけて揺動可能に設けられ、粉じんを捕捉するろ材で形成された内袋５と、粉じんを含む空気が内袋５内に向けて導出される配管１９と、下側領域２ｂを吸引する吸引口２５と、下側領域２ｂの外袋４に対面して配置された除塵部材９１及び除塵部材９１に接続されて容器２外に設けられたハンドル９３とを備え、ハンドル９３の操作により除塵部材９１で外袋４の外面を殴打、揺動させてろ材に付着している粉じんを容器２下方に落下させるようにした。【選択図】図１
0003189688.tif 000002
【実用新案登録請求の範囲】
【請求項１】
密閉される容器と、
前記容器内にその開口部から垂下状態で設けられて当該容器内を上側領域と下側領域の２つに仕切り、道路切断時に前記上側領域に供給される粉じんを捕捉するようにろ材で有底筒状に形成された外袋と、
前記外袋の内側に間隔をあけ開口部を上方に向けて揺動可能に設けられ、前記粉じんを捕捉するようにろ材で有底筒状に形成された内袋と、
前記容器の上側領域に接続されて前記粉じんを含む空気が前記内袋内に向けて導出される配管と、
前記容器の下側領域に形成されてその下側領域を吸引する吸引口と、
前記下側領域の前記外袋に対面して配置された除塵部材及び前記除塵部材に接続されて容器外に設けられたハンドルとを備え、
前記ハンドルの操作により前記除塵部材で前記外袋の外面を殴打、揺動させてろ材に付着している粉じんを前記容器下方に落下させるようにしたことを特徴とするドライカッター用集塵機。
【請求項２】
前記容器は、上方が開放された有底筒状の容器本体と、容器本体の開口部に着脱可能に取り付けられる蓋部材とで形成され、
前記外袋は、開口周縁部がフランジ環状のシール部材に取り外し可能に取り付けられ、
前記容器本体と蓋部材との間に、前記シール部材が挟持され、
前記シール部材には、前記内袋を取り付ける揺動部材が取り付けられ、
前記蓋部材に、前記配管が接続されている請求項１に記載のドライカッター用集塵機。
【請求項３】
前記容器は、上方が開放された有底筒状の容器本体と、容器本体の開口部に着脱可能に取り付けられる蓋部材とで形成され、
前記容器本体は、前記除塵部材とハンドル及び前記吸引口が設けられた上部容器本体と、前記外袋から落下した粉じんが溜まる下部容器本体とを互いに取り外し可能に連結されている請求項１又は２に記載のドライカッター用集塵機。
【請求項４】
前記外袋は、当該外袋を略筒状に開いた状態に保持する形状保持部材が挿入され、
前記内袋は、当該内袋を略筒状に開いた状態に保持する形状保持部材が挿入されている請求項１〜３のいずれか１項に記載のドライカッター用集塵機。
【請求項５】
前記外袋は、平板状の底部を有し、
前記除塵部材は、前記外袋の底部に対向した平面上に拡がって形成されている請求項１〜４のいずれか１項に記載のドライカッター用集塵機。
【請求項６】
前記配管は、導出口が前記内袋の開口部に臨んで配置されている請求項１〜５のいずれか１項に記載のドライカッター用集塵機。
【請求項７】
前記外袋及び内袋は、織布又は不織布により形成されている請求項１〜６のいずれか１項に記載のドライカッター用集塵機。
【請求項８】
前記請求項１〜７のいずれか１項に記載のドライカッター用集塵機を備えたことを特徴とするドライカッター。
【考案の詳細な説明】
【技術分野】
【０００１】
本考案は、舗装道路工事等において用いられるドライカッターに備えられたドライカッター用集塵機及びその集塵機を備えたドライカッターに関するものである。
【背景技術】
【０００２】
水道、ガス、電気，電話などの配線、配管に関する工事にあっては、アスファルト等の舗装道路の一部をカッターを用いて切断する場合がある。カッターは、ブレードを備え、このブレードを高速回転させながら舗装道路に押し付けて食い込ませ舗装道路を切断するものである。カッターとしては、ブレードを押し付ける路面に水をかけて、アスファルト等の舗装道路を切断する際に発生する粉じんを水に混ぜて粉じんを飛散しないようにする湿式のカッターがあるが、大量の水が必要で、粉じんが混ざった水を完全に回収することはできず、また、回収した水は粘性が高く水から粉じんを分離して廃棄するのに、多額の費用と労力が必要であった。
【０００３】
このため、湿式のカッターにかわる水を必要としない乾式のカッター（ドライカッター）が用いられているのが現状である。ドライカッターは、ブレードでアスファルトを切断する際に発生する粉じんを空気とともに吸い取って集塵機で回収するものである。例えば、ブレード及びブレードで切断する舗装道路をカバーで覆い、このカバー内でブレードの切断により発生する粉じんを空気とともに吸引して、この吸引した空気を集塵機のサイクロンに導いて粉じんを回収し、サイクロンで回収できなかった粉じんをフィルタで回収して粉じんの飛散を防止しようとしている。
【０００４】
しかし、吸引される粉じんは、ほとんどが微粉状であるので、サイクロンでは回収し難く多くがフィルタで回収されることがある。この場合、例えば、わずか１０ｍ程度切断作業を行うと、フィルタが目詰まりを起こし、切断作業を中断してドライカッターの集塵機を分解してフィルタの掃除や交換を行わなければならなかった。
【先行技術文献】
【特許文献】
【０００５】
【特許文献１】特許第４０１２２０３号公報
【考案の概要】
【考案が解決しようとする課題】
【０００６】
本考案が解決しようとする課題は、切断作業を中断することなくろ材の掃除を行えるドライカッター用集塵機及びドライカッターを提供することにある。
【課題を解決するための手段】
【０００７】
前記課題を解決するため、本考案に係るドライカッター用集塵機は、密閉される容器と、前記容器内にその開口部から垂下状態で設けられて当該容器内を上側領域と下側領域の２つに仕切り、道路切断時に前記上側領域に供給される粉じんを捕捉するようにろ材で有底筒状に形成された外袋と、前記外袋の内側に間隔をあけ開口部を上方に向けて揺動可能に設けられ、前記粉じんを捕捉するようにろ材で有底筒状に形成された内袋と、前記容器の上側領域に接続されて前記粉じんを含む空気が前記内袋内に向けて導出される配管と、前記容器の下側領域に形成されてその下側領域を吸引する吸引口と、前記下側領域の前記外袋に対面して配置された除塵部材及び前記除塵部材に接続されて容器外に設けられたハンドルとを備え、前記ハンドルの操作により前記除塵部材で前記外袋の外面を殴打、揺動させてろ材に付着している粉じんを前記容器下方に落下させるようにしたことを特徴とする。
【０００８】
このように、下側領域に配置された除塵部材及び容器外に設けられたハンドルを備えたことで、容器外のハンドルを操作することにより、除塵部材の外面を殴打、揺動させてろ材に付着している粉じんを容器下方に落下させることができるので、切断作業を中断することなくろ材の掃除を行える。
【０００９】
この考案では、容器を、上方が開放された有底筒状の容器本体と、容器本体の開口部に着脱可能に取り付けられる蓋部材とで形成し、外袋の開口周縁部を、フランジ環状のシール部材に取り外し可能に取り付け、容器本体と蓋部材との間に、シール部材を挟持し、シール部材に、内袋を取り付ける揺動部材を取り付け、蓋部材に、配管を接続することができる。容器本体を、除塵部材とハンドル及び吸引口が設けられた上部容器本体と、外袋から落下した粉じんが溜まる下部容器本体とを互いに取り外し可能に連結することができる。
【００１０】
また、この考案では、外袋に、当該外袋を略筒状に開いた状態に保持する形状保持部材を挿入し、内袋に、当該内袋を略筒状に開いた状態に保持する形状保持部材を挿入することができる。外袋を、平板状の底部を有し、除塵部材を、外袋の底部に対向した平面上に拡がって形成することができる。配管を、導出口が内袋の開口部に臨んで配置することができる。外袋及び内袋を、織布又は不織布により形成することができる。
【００１１】
また、前記課題を解決するため、本考案に係るドライカッターは、前記のドライカッター用集塵機を備えたことを特徴とする。
【００１２】
本考案によれば、切断作業を中断することなくろ材の掃除を行うことができる。
【図面の簡単な説明】
【００１３】
【図１】本考案に係る実施形態の一例のドライカッター用集塵機を示す断面図である。
【図２】本実施形態のドライカッター用集塵機を備えたドライカッターの一例を示す側面図である。
【図３】本実施形態のドライカッターに用いられるブレードカバーの一例を示す図で、（ａ）は断面図、（ｂ）は（ａ）中のＡ−Ａ線矢視断面図である。
【考案を実施するための形態】
【００１４】
以下、本考案に係るドライカッター用集塵機の一実施形態を添付図面に基づいて説明する。図２に示すように、本実施形態のドライカッター用集塵機１は、ドライカッター１０に備えられるものである。ドライカッター１０は、水道、ガス、電気、電話などの配線、配管に関する道路工事等において、例えば、アスファルト等の道路特に舗装道路の一部を切断する際に用いられるものである。
【００１５】
ドライカッター１０は、車輪１２を有する基台１１を備えている。基台１１の切断時の進行方向の前方には、エンジン１３が取り付けられているとともに、その基台１１の下方には、ブレード１４が回転軸１４aを介して上下に移動可能に取り付けられている。ブレード１４は、上下に移動可能及び傾動可能なブレードカバー１５に覆われている。ブレードカバー１５は、図３に示すように、ブレード１４の両面を覆う一対の側壁１５ａ、１５ｂと、ブレード１４の前後及び上部を覆う前後壁１５ｃ、１５ｄ及び湾曲している上壁１５ｅとで形成されており、下端が前後方向に細長の矩形状に開口されている。ブレードカバー１５の下端の全周には、ブレード１４で切断を行うアスファルト等の路面との隙間をなくしブレードカバー１５内を密閉するゴムパッキン等のシール部材１６が設けられている。
【００１６】
ブレードカバー１５内の前方には、高さ方向に延びる仕切壁１８によって区画されている吸引室１７が設けられている。仕切壁１８は、前壁１５ｃ及び上壁１５ｅとほぼ平行に延び、上端が上壁１５ｅの頂部より後方側に接続されているとともに、下端がブレードカバー１５の下端より上方の位置に位置されて仕切壁１８の下方が吸引室１７への開口部として形成されている。ブレードカバー１５の頂部には、吸引室１７に連通する管状の吸引部１５ｆが設けられている。吸引部１５ｆには、吸引される配管１９が接続されており、ブレードでアスファルト等の舗装道路を切断した際に発生した粉じんが空気とともに吸引室１７に吸い込まれるようになっている。配管１９は、図１及び図２に示すように、基台１１の後方側に支持フレーム１１ａに支軸１１ｂを介して取り付けられた本実施形態のドライカッター用集塵機１に接続されている。
【００１７】
本実施形態のドライカッター用集塵機１は、密閉される容器２を備えている。容器２は、例えば、上方が開放された有底円筒状の容器本体２１と、容器本体２１の開口部を閉じる着脱可能な蓋部材２２とで形成されている。容器本体２１は、上下に分割される上部容器本体２１ａと下部容器本体２１ｂで形成されていることが好ましい。上部容器本体２１ａと下部容器本体２１ｂは、互いに取り外し可能に密閉状態で連結されている。上部容器本体２１ａと下部容器本体２１ｂとの連結手段２１ｃは、互いに取り外し可能に密閉状態で連結されるならばどのように構成してもよく、例えば、上部容器本体２１ａの下端と下部容器本体２１ｂの上端とをシール材等を介して突合せた状態でバックルなどの留め具等を用いて行うようにしてもよい。また、下部容器本体２１ｂ内をゴミ袋２９で覆っておくことが好ましい。すなわち、下部容器本体２１ｂ内をゴミ袋２９で覆うとともに、そのゴミ袋２９の開口部側を下部容器本体２１ｂの上端部に被せた状態でこの下部容器本体２１ｂに上部容器本体２１ａを被せるように連結することで、上部容器本体２１ａと下部容器本体２１ｂとの連結箇所には、ゴミ袋２９の開口端部が外部に露出するようにすることが好ましい。
【００１８】
蓋部材２２は、例えば、略円板状に形成されている。蓋部材２２は、例えばバックルなどの留め具等により容器本体２１の開口部に取り外し可能に密閉状態で取り付けられている。蓋部材２２と容器本体２１の開口端部との間には、フランジ環状のシール部材３が設けられて容器本体２１の開口部が蓋部材２２によって密閉されるようになっている。シール部材３は、例えば、合成ゴムや天然ゴムなどのゴム系材料等でフランジ環状に形成されている。
【００１９】
シール部材３の外周端部には、第１リング部材３１が取り付けられているとともに、内周端部には、第２リング部材３２が取り付けられている。第１リング部材３１は、容器本体２１の開口端部の外径より若干大きな寸法の金属等により例えば断面円形のリング状に形成されている。第２リング部材３２は、容器本体２１の開口端部の内径より若干小さな寸法の金属等により例えば断面円形のリング状に形成されている。第１リング部材３１が容器本体２１の開口端部の外側に位置するとともに第２リング部材３２が容器本体２１の開口端部の内側に位置するように、シール部材３を容器本体２１の開口端部に被せて装着した後に、蓋部材２２をこの上に被せて留め具等により容器本体２１に留めることで、容器本体２１と蓋部材２２とによってシール部材３が挟持されて容器本体２１の開口部と蓋部材２２との間がシール部材３を介して密閉されるようになっている。蓋部材２２の中央部には、ブレードカバー１５に接続されている配管１９が接続されている。
【００２０】
容器２には、容器２内を上側領域２ａと下側領域２ｂの２つに仕切る外袋４が取り付けられている。外袋４は、ブレード１４によって舗装道路を切断する際に発生した粉じんを捕捉するろ材で有底筒状の袋状に形成されている。ろ材としては、例えば、織布又は不織布等により形成されている。外袋４の開口部は、例えば、容器本体２１の径より大きな径で形成されている。外袋４は、開口端部が容器本体２１に取り付けられて容器本体２１内を２つに仕切るが、容器本体２１への取付は、容器本体２１の周壁であってもよいが、容器本体２１の開口端部であることが好ましい。外袋４は、例えば、外袋４の開口端部やその近傍を容器本体２１の開口端部上に被せてこの上にシール部材３を被せることで、容器本体２１に垂下した状態で取り付けられる。例えば、外袋４の開口周縁部をシール部材３の例えば下面に取り外し可能に取り付けるようにしてもよい。すなわち、シール部材３を外袋４のフランジとして機能するように外袋４をシール部材３に取り付けるようにしてもよい。
【００２１】
外袋４は、底部４ａに行くにしたがって漸次縮径された有底円筒状に形成されていることが好ましい。外袋４の底部４ａは、板状例えば略円板状等に形成されている。また、外袋４は、容器本体２１の開口端部に取り付けたとき、底部４ａと上部容器本体２１ａの下端との間に除塵部材９１を配置し得る間隔があくように形成されていることが好ましい。
【００２２】
外袋４内には、外袋４を略筒状に開いた状態に保持する形状保持部材６が挿入されていることが好ましい。形状保持部材６は、外袋４を略筒状に開いた状態に保持し、外袋４による粉じんの捕捉に影響がないかあるいはほとんど影響がない部材で形成されている。形状保持部材６は、例えば、外袋４の内周壁と相似形でその内周壁より若干小さな筒状で網や開口率が高い部材で形成してもよいし、フレームのみで形成してもよい。
【００２３】
形状保持部材６をフレームのみで形成する場合、例えば、外袋４の底部４ａの径より若干小さな外径に形成されて外袋４の底部４ａ上に載置される第１リングフレーム６ａと、第１リングフレーム６ａより上方にそれぞれ間隔をあけて順次設けられて第１リングフレーム６ａを外袋４の底部４ａ上に載置したときそれぞれ近接する外袋４の内壁の径より若干小さな外径に形成された第２リングフレーム６ｂ、第３リングフレーム６ｃ及び第４リングフレーム６ｄと、第１〜第４リングフレーム６ａ、６ｂ、６ｃ、６ｄを連結する上下方向に延びる直線状の連結フレーム６ｅとで籠状に形成されている。第２リングフレーム６ｂは、第１リングフレーム６ａを外袋４の底部４ａ上に載置したとき、外袋４の底部４ａと高さ方向の中央との間の略中央に位置され、第３リングフレーム６ｃは、外袋４の高さ方向の略中央に位置され、第４リングフレーム６ｄは、外袋４の高さ方向の略中央と上端との間の略中央に位置されている。連結フレーム６ｅは、第１〜第４リングフレームの周方向に９０°間隔で４本設けられている。
【００２４】
外袋４の内側には、外袋４の内面に対して間隔をあけて内袋５が設けられている。内袋５は、ブレード１４によって舗装道路を切断する際に発生した粉じんを捕捉するろ材で有底筒状の袋状に形成されている。ろ材としては、外袋４と同じ材料でも異なる材料でもよく、例えば、織布又は不織布等により形成されている。内袋５は、外袋４より径も軸方向の長さも小さく、かつ、底部に行くにしたがって漸次縮径された有底円筒状等に形成されていることが好ましい。内袋５の底部は、例えば略円板状等に形成されている。なお、内袋５は、外袋４の内側に設けたが、外袋４の内側以外の上側領域２ａに設けるようにしてもよい。
【００２５】
内袋５は、外袋４が粉じんを落下させるために動いたときに揺動する揺動部材７に開口部が上方に向いた状態で取り付けられている。揺動部材７は、例えば、高さ方向に間隔をあけて配置した３つのリングフレーム７ａ、７ｂ、７ｃをリングフレーム７ａ、７ｂ、７ｃの周方向に９０°間隔で配置した４本の連結フレーム７ｄで連結して籠状に形成されている。揺動部材７の軸方向の長さは、例えば、内袋５の軸方向の長さより短く形成されている。揺動部材７の上方のリングフレーム７ｃにバネ７０の一端が取り付けられている。バネ７０の他端は、シール部材３の第２リング部材３２に取り付けられている。バネ７０は、引っ張り張力が作用するバネであり、例えば、引っ張りコイルバネ等である。バネ７０は、リングフレーム７ａ、７ｂ、７ｃの周方向に９０°間隔で４本設けられている。これにより、シール部材３を容器本体２１の開口端部上に被せ、さらにこの容器本体２１の開口端部上に蓋部材２２を被せて容器本体２１を密閉すると、外袋４が粉じんを落下させるために動いたときに揺動部材７すなわち内袋５が揺動するようになっている。
【００２６】
内袋５の開口周縁部には、揺動部材７の上方のリングフレーム７ｃに締結を行うための紐部材が周方向に間隔をあけて複数設けられている。なお、内袋５の揺動部材７の取付は、紐部材に限定されず、他の手段で行うようにしてもよい。これにより、内袋５は、揺動部材７内を垂下した状態で揺動部材７に取り付けられる。内袋５は、揺動部材７、バネ７０を介してシール部材３に取り付けられており、シール部材３が内袋５のフランジとして機能する。すなわち、内袋５、揺動部材７、バネ７０及びシール部材３を１つのユニットとすることが可能となる。また、内袋５は、開口端部が外袋４の開口端部より下方すなわち外袋４内に位置されるように取り付けられることが好ましい。
【００２７】
内袋５内には、内袋５を略筒状の開いた状態に保持する形状保持部材８が挿入されていることが好ましい。形状保持部材８は、例えば、外袋４の内周壁と相似形でその内周壁より若干小さな筒状で網や開口率が高い部材で形成してもよいし、形状保持部材６と同様に、フレームのみで形成してもよい。形状保持部材８をフレームのみで形成する場合、例えば、内袋５の底部５ａの径より若干小さな外径に形成されて内袋５の底部５ａ上に載置される第１リングフレーム８ａと、第１リングフレーム８ａより上方で第１リングフレーム８ａを内袋５の底部５ａ上に載置したとき内袋５の開口端部近傍に位置されて内袋５の開口端部近傍の内壁の径より若干小さな外径に形成された第２リングフレーム８ｂと、第１、第２リングフレーム８ａ、８ｂを連結する上下方向に延びてリングフレーム８ａ、８ｂの周方向に９０°間隔で設けられた４本の連結フレーム８ｃとで籠状に形成されている。
【００２８】
内袋５の開口端部近傍には、ブレードカバー１５に接続されている配管１９の導出口が位置されていることが好ましい。これにより、配管１９から内袋５内に向けて粉じんを含む空気が導出されるようになっている。なお、配管１９は、上側領域２ａに接続されて配管１９から内袋５内に向けて粉じんを含む空気が導出されるならば、導出口の位置は限定されない。
【００２９】
容器本体２１の下側領域２ｂには、下側領域２ｂ内を吸引する吸引口２５が設けられている。吸引口２５は、例えば、上部容器本体２１ａの周壁の下方に設けられていることが好ましい。吸引口２５には、吸引ポンプを有する吸引管２６の一端が接続されている。吸引管２６の他端は、大気に開放するように配置されている。なお、吸引管２６の他端をブレードカバー１５に接続して空気を循環させるようにしてもよいし、吸引管２６の他端をエンジン１３に接続して空気をエンジン１３の冷却に利用するようにしてもよい。
【００３０】
容器２内の下側領域２ｂには、除塵部材９１が外袋４に対面して配置されている。除塵部材９１は、例えば、上部容器本体２１ａ内であって外袋４の底部４ａ近傍に配置されていることが好ましい。除塵部材９１は、外袋４の底部の下面である外面（底面）を殴打、揺動させて特にろ材である外袋４に付着している粉じんを容器２下方に落下させるものである。除塵部材９１は、平面上に拡がって形成されていることが好ましく、例えば、穴を有する平板、網部材、棒部材を曲げたり連結したりしたものやこれらを組み合わせたもの等で形成されている。除塵部材９１としては、具体的には例えば、円形状の網部材で形成されている。この網部材の中央部にバー９２の一端が固着されて、除塵部材９１が外袋４の底面に略平行な状態で近接して配置されている。
【００３１】
バー９２は、水平方向に延びて上部容器本体２１ａの下方の周壁を貫通している。上部容器本体２１ａの外側に位置されるバー９２の他端は、操作部であるハンドル９３が設けられている。また、バー９２の上部容器本体２１ａを貫通する箇所は、ハンドル９３を操作して密閉状態を維持したまま除塵部材９１を上下左右に動かすことができるボールジョイント９４が設けられている。これにより、ハンドル９３を操作して除塵部材９１で外袋４の底面に殴打、揺動させて特に外袋４に付着している粉じんを落下させることができるようになっている。除塵部材９１、バー９２、ハンドル９３及びボールジョイント９４で除塵手段が構成されているが、除塵手段は、容器２（上部容器本体２１ａ）の外から操作して特に外袋４に付着している粉じんを落下させることができればどのように構成してもよい。
【００３２】
次に、上記のように構成したドライカッター１０及びドライカッター用集塵機１を用いてアスファルト等の舗装道路の一部を切断する場合について説明する。
まず、ブレードカバー１５のみを下方に移動してブレードカバー１５のシール部材１６を舗装道路の路面に接触させ、切断を行う所望の箇所をブレードカバー１５で覆う。このとき、ブレード１４は路面から離れた位置に位置されている。つぎに、エンジン１３及び吸引ポンプを駆動してブレード１４を高速で回転させる。ブレード１４を高速で回転させながらブレード１４を下方に移動して舗装道路に押し付けて食い込ませつつドライカッター１０を前方へ押して舗装道路の切断を行う。
【００３３】
ブレード１４により舗装道路が切断されると、粉じんが発生する。このとき、吸引ポンプの駆動によって、粉じんは、空気とともに吸引室１７に吸い込まれて配管１９を介して集塵機１の容器２内の上側領域２ａの内袋５内に向けて導出される。空気は、内袋５や外袋４を通って下側領域２ｂに流れ、粉じんは、内袋５や外袋４に捕捉される。その結果、粉じんが分離された空気が吸引口２５から吸引管２６に流れる。
【００３４】
外袋４に捕捉される粉じんの量が増えると、通気抵抗が増えて吸引力が落ちるので、吸引力が落ちたら又は落ちる前に例えば定期的に容器２（上部容器本体２１ａ）から外部に突出しているハンドル９３を操作して除塵部材９１を外袋４の底面に殴打、揺動させて外袋４に付着している粉じんを落下させる。これにより、外袋４の掃除が行われる。
【００３５】
すなわち、粉じんは、空気とともに内袋５内に導かれることで、粉じんが内袋５に当たる。このとき、粉じんの多くは微粉状であるが、微粉状でないものも含まれる。この微粉状でない比較的大きな粉じんは、内袋５に当たることで重力により内袋５内に溜まる。微粉状の粉じんは、内袋５に捕捉されるものもあるが、空気とともに内袋５の開口部から内袋５外に出て空気が外袋４を通過する際に外袋４に捕捉される。このように、比較的大きな粉じんは内袋５で捕捉され、細かな粉じんは外袋４で捕捉されることになる。このとき、配管１９の導出口が内袋５の開口部に臨んで配置されていることで、比較的大きな粉じんを内袋５でより確実に捕捉させることができる。
【００３６】
外袋４に捕捉された粉じんが堆積すると、塊になる。塊になった粉じんは、外袋４の外側である下側領域２ｂが吸引されているとともに、粉じんが微粉状であるので、外袋４の外側に出っぱる。この状態で、外袋４の底面を除塵部材９１で殴打、揺動すると、外袋４から外側（下側領域２ｂ側）に出っぱった粉じんすなわち外袋４に付着している粉じんが落下する。これにより、外袋４の掃除が行われる。外袋４から落下した粉じんは、下部容器本体２１ｂ内に落ちて底に溜まる。また、除塵部材９１で外袋４の底面を殴打、揺動すると、殴打、揺動することによる衝撃や振動がバネ７０を介して内袋５（揺動部材７）に伝わって内袋５が揺動する。これにより、内袋５から外側に出っぱった粉じんが外袋４内に落下して最後には外袋４から下部容器本体２１ｂ内に落下するので、内袋５の掃除も行われる。
【００３７】
したがって、本実施形態のドライカッター１０及びドライカッター用集塵機１は、容器２（上部容器本体２１ａ）から外部に突出しているハンドル９３を操作するだけで外袋４から粉じんを落下させられるので、切断作業を中断することなく外袋４の掃除を行え、円滑な集じんを行うことができる。
【００３８】
容器２が容器本体２１と蓋部材２２とで形成され、この容器本体２１と蓋部材２２との間に外袋４と内袋５（シール部材３）が取り外し可能に取り付けられているので、外袋４及び内袋５のメンテや交換等をし易く、集塵機１の分解や組み立ても容易に行える。また、内袋５、揺動部材７、バネ７０、シール部材３を１つのユニットとすることで、シール部材３を容器２から取り外せば内袋５の取り外しも行えるので、より内袋５のメンテや交換等をし易く、集塵機１の分解や組み立てもより容易に行える。そのシール部材３に外袋４を取り付けることで、外袋４のメンテや交換等をし易く、集塵機１の分解や組み立てもより容易に行える。さらに、容器本体２１が上下に分割される上部容器本体２１ａと下部容器本体２１ｂで形成され、特に予め下部容器本体２１ｂ内をゴミ袋２９で覆っておくことで、外袋４から落下した粉じんは、ゴミ袋２９内に溜まるので、粉じんの処理を容易に行える。
【００３９】
外袋４内に形状保持部材６が挿入されるとともに内袋５内に形状保持部材８が挿入されて、外袋４及び内袋５がそれぞれ略筒状の開いた状態に保持されることで、外袋４及び内袋５による粉じんの集塵処理を効率よく確実に行える。また、外袋４に形状保持部材６が挿入されて略筒状に開いた状態に保持されることで、除塵部材９１で外袋４を殴打、揺動させて外袋４の掃除を行う際に除塵部材９１の殴打、揺動による衝撃や振動を外袋４全体に伝えやすいので、外袋４の掃除を確実に行える。さらに、外袋４の底部４ａが平板状で形成されているとともに、除塵部材９１が外袋４の底部４ａに対向した平面上に拡がって形成されていることで、除塵部材９１の殴打、揺動による衝撃や振動を外袋４全体により伝えることができ、外袋４の掃除を確実に行える。
【符号の説明】
【００４０】
１  ドライカッター用集塵機
２  容器
２ａ  上側領域
２ｂ  下側領域
４  外袋
４ａ  底部
５  内袋
６  形状保持部材
７  揺動部材
８  形状保持部材
１０  ドライカッター
１９  配管
２１  容器本体
２１ａ  上部容器本体
２１ｂ  下部容器本体
２２  蓋部材
２５  吸引口
９１  除塵部材
９３  ハンドル
【図１】
0003189688.tif 000003
【図２】
0003189688.tif 000004
【図３】
0003189688.tif 000005